(57)【要約】【課題】本発明は、コーナー支柱の周囲に配置される正面棚板とエンド棚板とを有するアラウンド型ショーケースにおいて、正面棚板を取付けた後にエンド棚板を取付ける場合、その取付を容易に行えるようにする。【解決手段】コーナー支柱２の周囲に配置される正面棚板３とエンド棚板４とを有するアラウンド型ショーケースであって、コーナー支柱に取付けられて水平方向に延出し、正面棚板３の両端部を支持する一対の第１コーナー用ブラケット６と、コーナー支柱に取付けられて水平方向に延出し、エンド棚板４の両端部を支持する第２コーナー用ブラケット７及びエンド用ブラケット８を有し、第１コーナー用ブラケットに設けられてこの第１コーナー用ブラケットに隣接して位置する第２コーナー用ブラケットを超えてエンド棚板側に延出する凸部１０と、エンド棚板に設けられて凸部が嵌合される溝部１４とを有する。【選択図】図２
2020018385.tif 000002
【特許請求の範囲】
【請求項１】
コーナー支柱と、このコーナー支柱の周囲に配置される一つの正面棚板とこの正面棚板の少なくとも一側に位置するエンド棚板とを有するアラウンド型ショーケースであって、
前記コーナー支柱に取付けられて水平方向に延出し、前記正面棚板の両端部を支持する一対の第１コーナー用ブラケットと、
前記コーナー支柱に取付けられて水平方向に延出し、前記エンド棚板の両端部を支持する第２コーナー用ブラケット及びエンド用ブラケットと、
前記第１コーナー用ブラケットに設けられてこの第１コーナー用ブラケットに隣接して位置する前記第２コーナー用ブラケットを超えて前記エンド棚板側に延出する凸部と、
前記エンド棚板に設けられて前記凸部が嵌合される溝部と、
を有することを特徴とするアラウンド型ショーケースの棚板取付構造。
【請求項２】
前記第２コーナー用ブラケットの上縁部に、前記第１コーナー用ブラケットの前記凸部が嵌合される凹部が設けられていることを特徴とする請求項１記載のアラウンド型ショーケースの棚板取付構造。
【請求項３】
前記第１コーナー用ブラケットと前記第２コーナー用ブラケットとを連結する化粧ネジが挿通されるネジ孔が、前記第１コーナー用ブラケットの先端側下端部と前記第２コーナー用ブラケットの先端側下端部とに設けられていることを特徴とする請求項１又は２記載のアラウンド型ショーケースの棚板取付構造。
【請求項４】
前記正面棚板の前記コーナー支柱側の端部に、この正面棚板における前記一対の第１コーナー用ブラケットの間の横幅方向の略全体に渡って下向きに折り曲げられた奥側折曲部が設けられていることを特徴とする請求項１ないし３のいずれか一項に記載のアラウンド型ショーケースの棚板取付構造。
【発明の詳細な説明】
【技術分野】
【０００１】
本発明は、アラウンド型ショーケースの棚板取付構造に関する。
【背景技術】
【０００２】
従来、スーパーマーケットやコンビニエンスストア等の店舗では各種のショーケースが使用されており、それらのショーケースの一例として、下記特許文献１に記載されたように、コーナー支柱とこのコーナー支柱の周囲を囲んで配置された平面視形状コの字型の棚板とを有するアラウンド型ショーケース（所謂、両アラウンド型ショーケース）が知られている。このアラウンド型ショーケースでは、コーナー支柱に水平方向に延出する複数のブラケットが取付けられ、コの字型の棚板が上方から降ろすようにしてこれらのブラケットの上に取付けられている。
【０００３】
しかし、特許文献１に記載された両アラウンド型ショーケースでは、コの字型の棚板が大型であるため、ブラケットへの取付けの際やメンテナンスのための着脱の際等において取り扱いが容易ではない。そこで、コの字型の棚板を、コーナー支柱の正面側に位置する一つの正面棚板と、正面棚板の両側であってコーナー支柱の側面側に位置する一対のエンド棚板とに分割することが提案され、実用化されているものもある。
また、アラウンド型ショーケースとしては、コーナー支柱を囲むＬ字型の棚板を有するもの（所謂、片アラウンド型ショーケース）が知られている。そして、このような片アラウンド型ショーケースにおいても、Ｌ字型の棚板が大型であるため、この棚板を正面棚板とエンド棚板との２つに分割することが提案され、実用化されているものもある。
【先行技術文献】
【特許文献】
【０００４】
【特許文献１】特開２００３−２２５１４７号公報
【発明の概要】
【発明が解決しようとする課題】
【０００５】
コの字型の棚板を一つの正面棚板と一対のエンド棚板とに分割した場合や、Ｌ字型の棚板を正面棚板とエンド棚板との二つに分割した場合においても、ブラケットへの取付けは、正面棚板とエンド棚板とをそれぞれ上方から降ろすようにして行うことになり、例えば、最初に正面棚板を取付け、その後にエンド棚板を取付けている。
【０００６】
最初に正面棚板をブラケットに取付ける場合には、その取付け箇所を側方から目視することが容易であり、その取付けは容易である。しかし、後からエンド棚板を取付ける場合には、既に取付けられている正面棚板が存在するため、エンド棚板における正面棚板側の取付け箇所を目視することが難しく、エンド棚板の取付けに手間がかかっている。
【０００７】
また、正面棚板の横幅寸法が大きくなった場合には、正面棚板の中央寄りの部分を支持するための補助ブラケットをコーナー支柱に取付ける必要がある。
【０００８】
本発明は、このような課題を解決するためになされたものであり、その目的は、コーナー支柱の周囲に配置される一つの正面棚板とその正面棚板の少なくとも一側に位置するエンド棚板とを有するアラウンド型ショーケースにおいて、正面棚板を取付けた後にエンド棚板を取付ける場合、その取付けを容易に行うことができるアラウンド型ショーケースを提供することである。
【課題を解決するための手段】
【０００９】
本発明に係るアラウンド型ショーケースの棚板取付構造は、コーナー支柱と、このコーナー支柱の周囲に配置される一つの正面棚板とこの正面棚板の少なくとも一側に位置するエンド棚板とを有するアラウンド型ショーケースであって、前記コーナー支柱に取付けられて水平方向に延出し、前記正面棚板の両端部を支持する一対の第１コーナー用ブラケットと、前記コーナー支柱に取付けられて水平方向に延出し、前記エンド棚板の両端部を支持する第２コーナー用ブラケット及びエンド用ブラケットと、前記第１コーナー用ブラケットに設けられてこの第１コーナー用ブラケットに隣接して位置する前記第２コーナー用ブラケットを超えて前記エンド棚板側に延出する凸部と、前記エンド棚板に設けられて前記凸部が嵌合される溝部と、を有する。
【００１０】
また、前述のアラウンド型ショーケースの棚板取付構造において、前記第２コーナー用ブラケットの上縁部に、前記第１コーナー用ブラケットの前記凸部が嵌合される凹部が設けられていることが望ましい。
【００１１】
また、前述のアラウンド型ショーケースの棚板取付構造において、前記第１コーナー用ブラケットと前記第２コーナー用ブラケットとを連結する化粧ネジが挿通されるネジ孔が、前記第１コーナー用ブラケットの先端側下端部と前記第２コーナー用ブラケットの先端側下端部とに設けられていることが望ましい。
【００１２】
また、前述のアラウンド型ショーケースの棚板取付構造において、前記中央棚板の前記コーナー支柱側の端部に、この中央棚板における前記一対の第１コーナー用ブラケットの間の横幅方向の略全体に渡って下向きに折り曲げられた奥側折曲部が設けられていることが望ましい。
【発明の効果】
【００１３】
本発明に係るアラウンド型ショーケースの棚板取付構造によれば、正面棚板はその両端部が一対の第１コーナー用ブラケットにより支持され、エンド棚板はその両端部が第２コーナー用ブラケットとエンド用ブラケットとにより支持されている。第１コーナー用ブラケットには凸部が設けられ、この凸部は第１コーナー用ブラケットに隣接して位置する第２コーナー用ブラケットを超えてエンド棚板側に延出し、その凸部はエンド棚板に設けられている溝部に嵌合される。これにより、正面棚板を取付けた後にエンド棚板を取付ける場合、凸部を上方から目視しつつエンド棚板の溝部に嵌合させることができ、エンド棚板の取付位置の位置決め、及び、エンド側板の取付けを容易に行うことができる。
【００１４】
また、第２コーナー用ブラケットの上縁部に、第１コーナー用ブラケットの凸部が嵌合される凹部が設けられているので、第１コーナー用ブラケットの凸部を第２コーナー用ブラケットの凹部に嵌合させることにより、第１コーナー用ブラケットと第２コーナー用ブラケットとの位置合わせを正確に行うことができ、隣合って位置する第１コーナー用ブラケットと第２コーナー用ブラケットとを連結する場合の位置合わせを容易に行うことができる。
【００１５】
また、第１コーナー用ブラケットと第２コーナー用ブラケットとを連結する化粧ネジが挿通されるネジ孔が、第１コーナー用ブラケットとの下端部側と第２コーナー用ブラケットの下端部側とに設けられているため、化粧ネジの取付を周囲の部材に干渉することなく容易に行うことができる。
【００１６】
また、正面棚板のコーナー支柱側の端部に、横幅寸法の大きな奥側折曲部が設けられているので、正面棚板の横幅寸法が大きくなった場合でも正面棚板の強度を高めることができ、正面棚板を支持するための新たな補助ブラケットを不要とすることができる。
【図面の簡単な説明】
【００１７】
【図１】アラウンド型ショーケースの一部を断面にして示す平面図である。
【図２】正面棚板とエンド棚板との取付構造を示す斜視図である。
【図３】第１コーナー用ブラケットと第２コーナー用ブラケットとの連結構造を示す斜視図である。
【図４】正面棚板を示す斜視図である。
【発明を実施するための形態】
【００１８】
本発明の一実施形態について、図面に基づいて説明する。図１はアラウンド型ショーケース１の一部を断面にして示す平面図であり、このアラウンド型ショーケース１は、立設された中空状のコーナー支柱２を有し、コーナー支柱２の正面側に一つの正面棚板３が配置され、正面棚板３の両側であってコーナー支柱２の側面側に一対のエンド棚板４が配置されている。なお、図１では一段の正面棚板３とエンド棚板４とを示しているが、これらの正面棚板３とエンド棚板４とは、コーナー支柱２に上下方向に沿って複数段配置され、各正面棚板３とエンド棚板４との上に商品が陳列されるようになっている。また、正面棚板３とエンド棚板４との下面には、それらの正面棚板３とエンド棚板４との下側に位置する他の正面棚板３とエンド棚板４との上に陳列された商品を照明するためのランプ５が取付けられている。
【００１９】
コーナー支柱２の正面側には、水平方向に延出して正面棚板３の両端部を支持する一対の第１コーナー用ブラケット６が取付けられている。また、コーナー支柱２の側面側には、水平方向に延出してエンド棚板４の両端部を支持する第２コーナー用ブラケット７とエンド用ブラケット８とが取付けられている。なお、第１コーナー用ブラケット６と第２コーナー用ブラケット７とが隣接して位置しており、隣接して位置する第１コーナー用ブラケット６と第２コーナー用ブラケット７との先端側は後述する化粧ネジ（図示せず）により連結されている。
【００２０】
正面棚板３は、図２に示すように、商品が陳列される部分である棚部３ａと、棚部３ａの両側に位置して下向きに折り曲げられた側方折曲部３ｂとを有し、さらに、後述する図４に示すように下向きに折り曲げられた奥側折曲部３ｃを有している。そして、正面棚板３は、側方折曲部３ｂが第１コーナー用ブラケット６の側面を覆うように第１コーナー用ブラケット６の上に載置され、第１コーナー用ブラケット６により支持されている。
【００２１】
第１コーナー用ブラケット６には、図２及び図３に示すように、隣接して位置する第２コーナー用ブラケット７を超えてエンド棚板４側に延出する一対の凸部１０が設けられている。これらの凸部１０は、側方折曲部３ｂの折曲線上に設けられている挿通孔３ｄに挿通されている。
【００２２】
第２コーナー用ブラケット７の上縁部には、図２及び図３に示すように二つの凹部１１が設けられ、これらの凹部１１には凸部１０が嵌合可能とされている。
【００２３】
エンド棚板４は、図２及び図３に示すように、商品が連列される部分である棚部４ａと、棚部４ａの両側に位置して下向きに折り曲げられた側方折曲部４ｂとを有している。そして、エンド棚板４は、側方折曲部４ｂが第２コーナー用ブラケット７の側面とエンド用ブラケット８の側面とを覆うように第２コーナー用ブラケット７とエンド用ブラケット８の上に載置され、第２コーナー用ブラケット７とエンド用ブラケット８とにより支持されている。また、エンド用ブラケット８の上縁部には爪部１２が設けられ、これらの爪部１２はエンド棚板４の下面に設けられた引掛部（図示せず）に引っ掛け可能とされている。
【００２４】
エンド棚板４の第２コーナー用ブラケット７側の側方折曲部４ｂの折曲線上には、一対の溝部１４が設けれ、これらの溝部１４には凸部１０が嵌合可能とされている。
【００２５】
隣接して位置する第１コーナー用ブラケット６と第２コーナー用ブラケット７とにおいて、図２及び図４に示すように、第１コーナー用ブラケット６の先端側下端部に位置するネジ孔１５と、第２コーナー用ブラケット７の先端側下端部に位置するネジ孔１６とが設けられている。第１コーナー用ブラケット６と第２コーナー用ブラケット７とは、コーナー支柱２への取付け側を支点として揺動可能に設けられており、これらの第１コーナー用ブラケット６と第２コーナー用ブラケット７を揺動させてネジ孔１５、１６を重ね合うように位置させ、重ね合って位置するネジ孔１５、１６に化粧ネジを螺合させることにより第１コーナー用ブラケット６と第２コーナー用ブラケット７とが連結されている。
【００２６】
正面棚板３は、図４に示すように奥側折曲部３ｃを有している。この奥側折曲部３ｃは、コーナー支柱２側の端部に配置されており、正面棚板３における横幅方向の略全体に渡って下向きに折り曲げられている。
【００２７】
このような構成において、このアラウンド型ショーケース１では、棚板は、一つの正面棚板３とその両側に位置する一対のエンド棚板４とに分割されており、アラウンド型ショーケース１の組立時には、コーナー支柱２に正面棚板３を取付け、ついで、コーナー支柱２にエンド棚板４を取付けている。
【００２８】
正面棚板３を取付ける場合には、まず、コーナー支柱２の正面側に一対の第１コーナー用ブラケット６を取付ける。その後、側方折曲部３ｂが一対の第１コーナー用ブラケット６の側面を覆うように正面棚板３を第１コーナー用ブラケット６の上に載置する。このとき、下向きに折り曲げられている側方折曲部３ｂを拡開する方向に撓ませ、第１コーナー用ブラケット６の凸部１０を挿通孔３ｄに挿通させる。この正面棚板３の取付けは、上方から正面棚板３を下向きに降ろすだけであり、容易に行える。
【００２９】
つぎに、エンド棚板４を取付ける場合には、まず、コーナー支柱２の側面側に第２コーナー用ブラケット７とエンド用ブラケット８とを取付ける。その後、側方折曲部４ｂが第２コーナー用ブラケット７の側面とエンド用ブラケット８の側面とを覆うようにエンド棚板４を第２コーナー用ブラケット７とエンド用ブラケット８との上に載置するとともに、エンド用ブラケット８の爪部１２をエンド棚板４の引掛部に引っ掛ける。
【００３０】
ここで、第１コーナー用ブラケット６に設けられている凸部１０は、エンド棚板４側に延出し、エンド棚板４の溝部１４に嵌合される。このため、正面棚板３を取付けた後にエンド棚板４を取付ける場合、凸部１０を上方から目視しつつエンド棚板４の溝部１４に嵌合させることができ、エンド棚板４の取付位置の位置決め、及び、エンド棚板４の取付を容易に行うことができる。
【００３１】
また、凸部１０が第２コーナー用ブラケット７の凹部１１に嵌合されているため、この嵌合によって第１コーナー用ブラケット６と第２コーナー用ブラケット７との位置合わせを正確に行うことができ、化粧ネジを用いて第１コーナー用ブラケット６と第２コーナー用ブラケット７とを連結する場合、その連結作業を容易に行える。
【００３２】
また、第１コーナー用ブラケット６と第２コーナー用ブラケット７は、第１コーナー用ブラケット６に設けられたネジ孔１５と第２コーナー用ブラケット７に設けられたネジ孔１６と化粧ネジを螺合することにより行われている。そして、これらのネジ孔１５、１６は、第１コーナー用ブラケット６の先端側下端部と第２コーナー用ブラケット７の先端側下端部とに設けられているため、化粧ネジの取付けを周囲にある部材に干渉することなく容易に行うことができる。
【００３３】
また、正面棚板３には、正面棚板３のコーナー支柱２側の端部に位置して下向きに折り曲げられた奥側折曲部３ｃが設けられており、この奥側折曲部３ｃは、正面棚板３における横幅方向の略全体に渡って設けられている。このため、正面棚板３に下向きに作用する負荷に対する強度が高くなり、正面棚板３の横幅寸法が大きくなった場合でも、正面棚板３を支持するための新たな補助ブラケットを設けることが不要となる。
【００３４】
なお、本実施の形態では、一つの正面棚板３とその両側に位置する一対のエンド棚板４とからなるコの字型の棚板を有するアラウンド型ショーケース１（所謂、両アラウンドショーケース）における棚板の取付構造を例に挙げて説明したが、一つの正面棚板とその一側に位置する一つのエンド棚板とからなるＬ字型の棚板を有するアラウンド型ショーケース（所謂、片アラウンド型ショーケース）においても、同様に棚板を容易に取付けることができる。
【符号の説明】
【００３５】
１    アラウンド型ショーケース
２    コーナー支柱
３    正面棚板
３ａ  棚部
３ｂ  側方折曲部
３ｃ  奥側折曲部
３ｄ  挿通孔
４    エンド棚板
４ａ  棚部
４ｂ  側方折曲部
５    ランプ
６    第１コーナー用ブラケット
７    第２コーナー用ブラケット
８    エンド用ブラケット
１０    凸部
１１    凹部
１２    爪部
１４    溝部
１５    ネジ孔
１６    ネジ孔
【図１】
2020018385.tif 000003
【図２】
2020018385.tif 000004
【図３】
2020018385.tif 000005
【図４】
2020018385.tif 000006